Podtech/llm-jp-corpus-v4-ja_patent huggingface dataset:
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
イソシアネートを含んでなるホスゲン化生成物から有機イソシアネートを製造する方法であって、以下の工程：
ａ）ホスゲン化された生成物を処理する工程であって、この処理が、有機イソシアネートの第１の部分が蒸留物として分離され、かつ、有機イソシアネートの第２の部分を含んでなる蒸留残渣とが得られる、少なくとも１つの蒸留工程を含んでなる工程と、
ｂ）工程ａ）で得られた蒸留残渣を処理する工程であって、この処理工程が、１１０℃以下の温度で１ｍｂａｒ以下の圧力で実施され、前記有機イソシアネートの第２の部分の少なくとも５０重量％が蒸留残渣から分離される、少なくとも１つの蒸留工程を含んでなる工程、
を含んでなる、方法。
【請求項２】
前記処理工程ｂ）の前記蒸留工程が、９０℃以下の温度で、および／または、１ｍｂａｒ以下の圧力で、特に０．８ｍｂａｒ以下で、好ましくは０．５ｍｂａｒ以下で、特に好ましくは０．３ｍｂａｒ以下で、より特に好ましくは０．１ｍｂａｒ以下で、実施される、請求項１に記載の方法。
【請求項３】
前記処理工程ｂ）の前記蒸留工程における蒸留残渣の滞留時間が、３０分間を超えない、好ましくは１５分間を超えないことを特徴とする、請求項１または２に記載の方法。
【請求項４】
対応する有機イソシアネートを含んでなるホスゲン化生成物が、１級有機アミンのホスゲン化によって得られ、かつ、該ホスゲン化が、特に、気相において実施される、請求項１〜３のいずれか一項に記載の方法。
【請求項５】
前記有機１級アミンが、芳香族ジアミン、芳香族トリアミン、または芳香族ポリアミンであり、特にトルエンジアミンであり、かつ、前記有機イソシアネートが、芳香族ジイソシアネート、芳香族トリイソシアネート、または芳香族ポリイソシアネートであり、特にトリレンジイソシアネートである、請求項４に記載の方法。
【請求項６】
前記トリレンジイソシアネートが、少なくとも８０重量％の２，４-トリレンジイソシアネート異性体、特に少なくとも９０重量％の該異性体を含んでなる、請求項５に記載の方法。
【請求項７】
処理工程ａ）の後に得られた蒸留残渣の加水分解可能な塩素化合物の含有量が、さらなる処理を施すことなく、２０００ｐｐｍ未満、特に１５００ｐｐｍ未満である、請求項１〜６のいずれか一項に記載の方法。
【請求項８】
工程ｂ）の後に得られた蒸留残渣のＮＣＯ含有量が、少なくとも２０重量％、好ましくは少なくとも２５重量％である、請求項１〜７のいずれか一項に記載の方法。
【請求項９】
工程ｂ）の後に得られた蒸留残渣における有機イソシアネートの残存量が、３０重量％以下、特に２５重量％以下、好ましくは２０重量％以下である、請求項１〜８のいずれか一項に記載の方法。
【請求項１０】
工程ｂ）の後に得られた蒸留残渣が、吸着剤としてのＡｌ２Ｏ３に対して０．５５ｅ°を超える溶出力を有する非プロトン性極性溶媒、特に、酢酸エチルまたはアセトンに、少なくとも部分的に溶解し、蒸留プラントから分離される、請求項１〜９のいずれか一項に記載の方法。
【請求項１１】
処理ａ）および／または処理ｂ）の蒸留工程が、強制排出蒸発器を用いる、特に、単一経路蒸発器、流下膜式蒸発器、長管形蒸発缶、流下管式蒸発器、薄膜蒸発器、または短経路蒸発器を用いて、実施される、請求項１〜１０のいずれか一項に記載の方法。
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
下記に特徴を有する、架橋樹脂中に埋込んだガラスフィラメントを含むガラス・樹脂複合体(GRCと略称する)製のモノフィラメント：
・前記樹脂のTgで示すガラス転移温度は、190℃以上である；
・前記モノフィラメントのEbで示す破断点伸びは、23℃で測定して、4.0%以上である；  ・前記モノフィラメントのE23で示す初期引張モジュラスは、23℃で測定して、35GPaよりも大きい；そして、
・前記モノフィラメントのE'190で示す複素モジュラスの実数部は、190℃でDMTA法により測定して、30GPaよりも大きい。
【請求項２】
前記樹脂のTgが、195℃よりも高い、請求項１記載のモノフィラメント。
【請求項３】
伸びEbが、4.2%よりも大きい、請求項１または２記載のモノフィラメント。
【請求項４】
E'(Tg'-25)/E'23比が、0.85よりも大きく、：
E'23およびE'(Tg'-25)は、それぞれ、23℃およびTg'-25に等しい℃で表す温度においてDMTAによって測定した前記GRCモノフィラメントの複素モジュラスの実数部であり；そして、Tg'は、DMTAによって測定した前記樹脂のガラス転移温度である、
請求項１〜３のいずれか１項記載のGRCモノフィラメント。
【請求項５】
E'(Tg'-10)/E'23比が、0.80よりも大きく、：
E'23およびE'(Tg'-10)は、それぞれ、23℃およびTg'-10に等しい℃で表す温度においてDMTAによって測定した前記GRCモノフィラメントの複素モジュラスの実数部であり；そして、Tg'は、DMTAによって測定した前記樹脂のガラス転移温度である、
請求項１〜４のいずれか１項記載のGRCモノフィラメント。
【請求項６】
E23モジュラスが、40GPaよりも大きい、請求項１〜５のいずれか１項記載のモノフィラメント。
【請求項７】
E'190モジュラスが、33GPaよりも大きい、請求項１〜６のいずれか１項記載のモノフィラメント。
【請求項８】
屈曲下での圧縮における弾性変形が、3.0%よりも大きい、請求項１〜７のいずれか１項記載のモノフィラメント。
【請求項９】
屈曲下での圧縮における破壊応力が、1000MPaよりも大きい、請求項１〜８のいずれか１項記載のモノフィラメント。
【請求項１０】
前記ガラスフィラメントの質量含有量が、60％と80％の間の量であり、密度が、1.8g/cm3と2.1g/cm3の間の密度である、請求項１〜９のいずれか１項記載のモノフィラメント。
【請求項１１】
前記樹脂が、ビニルエステル樹脂である、請求項１〜１０のいずれか１項記載のモノフィラメント。
【請求項１２】
前記樹脂の初期引張モジュラスが、23℃で測定して、3.0GPaよりも大きい、請求項１〜１１のいずれか１項記載のモノフィラメント。
【請求項１３】
直径Dが、0.2mmと1.5mmの間である、請求項１〜１２のいずれか１項記載のモノフィラメント。
【請求項１４】
請求項１〜１３のいずれか１項記載のガラス樹脂複合体モノフィラメントを含む、空気式または非空気式車両タイヤ。
【請求項１５】
前記ガラス樹脂複合体モノフィラメントが、前記タイヤの、ベルト(6)、カーカス補強材中(7)、またはビード領域(4)、に存在する、請求項１４記載のタイヤ。
【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
ベンダムスチンまたはその薬学的に許容される塩及び１つ以上の薬学的に許容される賦形剤、希釈剤、もしくは担体からなる、噴霧乾燥した固体分散体。
【請求項２】
サッカリド賦形剤またはサッカリドアルコール賦形剤を含む、請求項１に記載の噴霧乾燥した固体分散体。
【請求項３】
ベンダムスチン対賦形剤の重量比が、約５：１〜約１：２０である、請求項２に記載の噴霧乾燥した固体分散体。
【請求項４】
ポリマー賦形剤を含む、請求項１に記載の噴霧乾燥した固体分散体。
【請求項５】
非水性溶媒を含む、請求項１に記載の噴霧乾燥した固体分散体。
【請求項６】
ベンダムスチンに対して０．２％、０．１５％、または０．１％未満の総ＨＰ１を含む、請求項１に記載の噴霧乾燥した固体分散体。
【請求項７】
請求項１〜６のいずれか一項に記載の噴霧乾燥した固体分散体を含む、薬学的組成物。
【請求項８】
粉末粒子の形態学的特性及び物理的特性が一貫した粉体流を可能にする、請求項７に記載の薬学的組成物。
【請求項９】
請求項１に記載の噴霧乾燥した固体分散体の調製方法であって、
ａ．非水性溶媒中に約１％〜約１００％（ｖ／ｖ）のベンダムスチンを溶解させて、予備乾燥溶液を形成することと、
ｂ．該予備乾燥溶液を乾燥させることであって、
ｂ１．該予備乾燥溶液を、噴霧器ノズルを通して乾燥チャンバ中に連続的に供給するステップと、
ｂ２．約０．９９未満の大気圧で該乾燥チャンバ中に高エンタルピーの空気もしくは不活性ガスを連続的に吹き込むか、または真空を適用するステップと、を含む該乾燥ステップと、
を含む、前記方法。
【請求項１０】
請求項１に記載の噴霧乾燥した固体分散体の調製方法であって、
ａ．連続様式で、ベンダムスチンを含む非水溶液を、１つ以上の薬学的に許容される賦形剤を含む水溶液と組み合わせるステップと、
ｂ．得られた組み合わされた溶液を乾燥させるステップであって、
ｂ１．該組み合わされた溶液を、噴霧器ノズルを通して乾燥チャンバ中に連続的に供給するステップと、
ｂ２．約０．９９未満の大気圧で該乾燥チャンバ中に高エンタルピーの空気もしくは不活性ガスを連続的に吹き込むか、または真空を適用するステップと、を含む該乾燥ステップと、
を含む、前記方法。
【請求項１１】
前記ステップｂ２が、約０．５〜少なくとも約０．９９の大気圧で前記乾燥チャンバ中に高エンタルピーの空気または不活性ガスを連続的に吹き込むことによって行われる、請求項９または１０に記載の方法。
【請求項１２】
約０．２５〜約３００ｍｇ／ｍＬの濃度のベンダムスチンと、約０．２５ｍｇ／ｍＬ〜約５００ｍｇ／ｍＬの濃度の非水性賦形剤と、非水性溶媒と、を含む、連続乾燥用予備乾燥製剤。
【請求項１３】
０．２５ｍｇ／ｍｌ〜３００ｍｇ／ｍｌの濃度の非水性溶媒中ベンダムスチンと、０．２５ｍｇ／ｍｌ〜５００ｍｇ／ｍｌの濃度の水中マンニトールと、を含む、連続乾燥用予備乾燥製剤セット。
【請求項１４】
薬学的に許容される容器中に、請求項１に記載の噴霧乾燥した固体分散体と、ベンダムスチンの量に対して約０．２％、０．１５％、または０．１％以下のＨＰ１とを含む、薬学的剤形であって、該ＨＰ１の量が、該剤形の再構成前、またはその再構成後ゼロ時間時点、または製造出荷時に存在する、前記薬学的剤形。
【請求項１５】
薬学的に許容される閉鎖容器中に、請求項１に記載の噴霧乾燥した固体分散体と、ベンダムスチンの量に対して約０．２％、０．１５％、または０．１％以下のＨＰ１と、を含む、経口薬学的剤形であって、該ＨＰ１の量が、製造出荷時に存在する、前記経口薬学的剤形。
【請求項１６】
ベンダムスチン分解物の濃度が、出荷時に３．５％未満のベンダムスチンの面積パーセントであり、ＨＰ１の濃度が、０．２％未満のベンダムスチンの面積パーセントであるように、最終製品におけるベンダムスチン分解物の濃度を制御することを含む、ベンダムスチンの乾燥粉末調製物を製造するためのプロセス。
【請求項１７】
患者における医学的状態の治療のための請求項１記載の噴霧乾燥した固体分散体。
【請求項１８】
前記噴霧乾燥した固体分散体が、イブルチニブと組み合わされて使用される、請求項１７記載の噴霧乾燥した固体分散体。
【請求項１９】
患者における医学的状態の治療のための医薬の製造のための請求項１記載の噴霧乾燥した固体分散体の使用。
【請求項２０】
前記医薬がイブルチニブと組み合わされて使用される、請求項１９記載の使用。
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
有益な微生物に有利な条件下で、対象由来の腸内毒素症状態の部位由来の微生物を含むサンプルを培養することによって得られた、
対象における腸内毒素症状態の治療に使用するためのプロバイオティック組成物。
【請求項２】
賦形剤をさらに含む、
ことを特徴とする請求項１に記載のプロバイオティック組成物。
【請求項３】
前記組成物は、腸内毒素症状態の部位への投与に適している、
ことを特徴とする請求項２に記載のプロバイオティック組成物。
【請求項４】
前記対象は、ヒトである、
ことを特徴とする請求項１に記載のプロバイオティック組成物。
【請求項５】
前記対象は、動物、好ましくは、畜牛、ウマ、家禽、ブタ、イヌ及びネコからなる群より選択される、
ことを特徴とする請求項１に記載のプロバイオティック組成物。
【請求項６】
前記腸内毒素症状態の部位は、腸、膣、口腔、気道及び皮膚から選択される、
ことを特徴とする請求項１に記載のプロバイオティック組成物。
【請求項７】
前記サンプルにおける前記微生物は、細菌である、
ことを特徴とする請求項１に記載のプロバイオティック組成物。
【請求項８】
前記有益な微生物は、乳酸桿菌、ビフィズス桿菌及びアッカーマンシアからなる群より選択される、
ことを特徴とする請求項１に記載のプロバイオティック組成物。
【請求項９】
ｉｎ  ｖｉｔｒｏでの前記培養は、２日間を超えて維持される、
ことを特徴とする請求項１に記載のプロバイオティック組成物。
【請求項１０】
前記組成物は、経口投与又は局所投与に適している、
ことを特徴とする請求項１に記載のプロバイオティック組成物。
【請求項１１】
培養され、濃縮された前記サンプルは、保存され、保存された前記サンプルからなるサンプルは、再発感染症といった再発腸内毒素症状態の症例の前記対象に投与するために用いられる、請求項１に記載のプロバイオティック組成物。
【請求項１２】
（ａ）分娩時又は分娩の直前若しくは直後に、母体由来の膣微生物叢サンプルを採取する工程と、
（ｂ）任意で、培養中に有益な微生物のために前記サンプルが任意に濃縮され得るように、前記サンプルを任意に培養する工程と、
から得られた前記サンプルの少なくとも一部を含み、
新生児に、好ましくは経口投与により投与するために用いられる、帝王切開で産まれた子どもにおける自己免疫疾患の発生を抑制するためのプロバイオティック組成物。
【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
骨髄移植を受けた患者において、造血幹細胞移植（ＨＳＣＴ）関連血栓性微小血管症（ＨＳＣＴ−ＴＭＡ）を治療するためのエクリズマブを有する薬剤。
【請求項２】
請求項１記載の薬剤において、前記薬剤が、少なくとも９９μｇ／ｍＬの血清レベルのエクリズマブの治療レベルを達成するのに十分であるように投与される、薬剤。
【請求項３】
請求項１記載の薬剤において、前記薬剤が、９９μｇ／ｍＬより高いまたは少なくとも９９μｇ／ｍＬの血清レベルが達成されるまで、毎日、または２日毎、または３日毎に投与される、薬剤。
【請求項４】
請求項１記載の薬剤において、前記薬剤が、少なくとも１用量、少なくとも２用量、少なくとも３用量、または少なくとも４用量、または４用量以上で投与される、薬剤。
【請求項５】
請求項１記載の薬剤において、前記治療は、全補体活性（ＣＨ５０）測定値を得るためにＣＨ５０を測定する工程を有し、前記エクリズマブの投与が、酵素免疫測定法によって測定される前記患者から得られるＣＨ５０測定値が約０〜約３の補体活性化酵素免疫測定法（ＣＡＥ）単位となるまで続けられ、または標準ヒツジ赤血球を使用する溶血法を使用して測定されるＣＨ５０測定値が<１５ＣＨ５０単位である、薬剤。
【請求項６】
請求項１記載の薬剤において、前記治療は、
ａ）初期の全補体活性（ＣＨ５０）測定値を得るため、前記エクリズマブを使用する前に、ＣＨ５０を測定する工程と、
ｂ）前記エクリズマブを投与する工程と、
ｃ）治療後のＣＨ５０測定値を得るために、前記エクリズマブの使用後の全ＣＨ５０活性を測定する工程と
を有し、前記エクリズマブの投与は、酵素免疫測定法によって測定される前記治療後のＣＨ５０測定値が約０〜約３ＣＡＥ単位となるまで続けられ、または標準ヒツジ赤血球を使用する溶血法を使用して測定されるＣＨ５０測定値が<１５ＣＨ５０単位である、薬剤。
【請求項７】
請求項６記載の薬剤において、前記薬剤が、ＨＳＣＴ−ＴＭＡを治すのに十分な期間にわたり投与される、薬剤。
【請求項８】
請求項６記載の薬剤において、前記薬剤が約４〜約１５週間にわたり投与され、前記エクリズマブの使用が、酵素免疫測定法によって測定されるＣＨ５０レベルを０〜３ＣＡＥ単位まで低下させるのに十分な用量におけるものであり、または標準ヒツジ赤血球を使用する溶血法を使用して測定されるＣＨ５０測定値が<１５ＣＨ５０単位である、薬剤。
【請求項９】
請求項６記載の薬剤において、前記薬剤が、好適な血液学的応答を達成するのに十分な期間にわたり投与され、好適な血液学的応答が１またはそれ以上の血液学的ＴＭＡマーカーの解消を有する、薬剤。
【請求項１０】
請求項９記載の薬剤において、前記薬剤が、完全奏功を達成するのに十分な期間にわたり投与され、前記完全奏功が前記患者の血液学的パラメーターの正常化を有する、薬剤。
【請求項１１】
請求項１または６記載の薬剤において、前記薬剤が毎週投与される、薬剤。
【請求項１２】
請求項１または６記載の薬剤において、前記薬剤が毎週投与され、前記用量が治療量でない場合、次の週の用量が３００ｍｇ増加される、薬剤。
【請求項１３】
請求項１または６記載の薬剤において、前記薬剤が、好適な血液学的応答を達成するのに十分な期間にわたり投与され、好適な血液学的応答が、乳酸脱水素酵素（ＬＤＨ）の正常化と、赤血球及び血小板輸血の必要性の解消と、分裂赤血球の消滅とのうちの１つまたはそれ以上を有する、薬剤。
【請求項１４】
請求項１または６記載の薬剤において、前記薬剤が、完全奏功を達成するのに十分な期間にわたり投与され、前記完全奏功が、前記患者の血液学的パラメーターの正常化、シスタチンＣ推定糸球体濾過量（ｅＧＦＲ）の倍加として測定される腎臓応答、及び２ｍｇ／ｍｇより低いランダムスポット尿タンパク対クレアチニン比によって定義されるネフローゼ範囲より低い値へのタンパク尿の改善を有する、薬剤。
【請求項１５】
エクリズマブを投与された患者において、エクリズマブの相対レベルを決定する方法であって、前記患者の試料中の全補体活性（ＣＨ５０）を測定する工程を有する、方法。
【請求項１６】
ＨＳＣＴ後を含むＴＭＡの何らかの症状を有する患者に投与されるエクリズマブを有する薬剤であって、
導入用量のエクリズマブによって治療される前記患者のＣＨ５０レベルが十分に抑制されない場合に、２回目の導入用量が投与され、
ＣＨ５０レベルが十分に抑制される場合に、毎週の導入用量が投与され、
前記２回目の導入用量の後にＣＨ５０レベルが十分に抑制されない場合に、前記導入用量が約１００ｍｇ〜約４００ｍｇ増加され、
前記薬剤は、ＴＭＡの血液学的兆候が解消されるまで投与される、薬剤。
【請求項１７】
請求項１６記載の薬剤であって、さらに、ＣＨ５０が十分に抑制されるまで維持用量が提供される、薬剤。
【手続補正２】
【補正対象書類名】明細書
【補正対象項目名】０００６
【補正方法】変更
【補正の内容】
【０００６】
本開示は、本技術分野における前述の需要の１つまたはそれより多くを扱うことに努める。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１２／０２２５０５６号明細書
（特許文献２）  米国特許出願公開第２０１１／０２１２９００号明細書
（非特許文献）
（非特許文献１）  ＳＰＥＣＴＯＲ  ｅｔ  ａｌ．‘Ａｓｓｏｃｉａｔｉｏｎｓ  ｏｆ  ｂｌｏｏｄ  ｌｅａｄ  ｗｉｔｈ  ｅｓｔｉｍａｔｅｄ  ｇｌｏｍｅｒｕｌａｒ  ｆｉｌｔｒａｔｉｏｎ  ｒａｔｅ  ｕｓｉｎｇ  ＭＤＲＤ，ＣＫＤ−ＥＰＩ  ａｎｄ  ｓｅｒｕｍ  ｃｙｓｔａｔｉｎ  Ｃ−ｂａｓｅｄ  ｅｑｕａｔｉｏｎｓ，’  Ｎｅｐｈｒｏｌ  Ｄｉａｌ  Ｔｒａｎｓｐｌａｎｔ，１９  Ｊａｎｕａｒｙ  ２０１１（１９．０１．２０１１），Ｖｏｌ．２６，Ｐｇｓ．２７８６−２７９２．ｅｎｔｉｒｅ  ｄｏｃｕｍｅｎｔ
（非特許文献２）  ＬＡＳＫＩＮ  ｅｔ  ａｌ．‘Ｓｍａｌｌ  ｖｅｓｓｅｌｓ，ｂｉｇ  ｔｒｏｕｂｌｅ  ｉｎ  ｔｈｅ  ｋｉｄｎｅｙｓ  ａｎｄ  ｂｅｙｏｎｄ：  ｈｅｍａｔｏｐｏｉｅｔｉｃ  ｓｔｅｍ  ｃｅｌｌ  ｔｒａｎｓｐｌａｎｔａｔｉｏｎ−ａｓｓｏｃｉａｔｅｄ  ｔｈｒｏｍｂｏｔｉｃ  ｍｉｃｒｏａｎｇｉｏｐａｔｈｙ，’Ｂｌｏｏｄ，１９  Ｍａｙ  ２０１１（１９．０５．２０１１），Ｖｏｌ．１１８，Ｐｇｓ．１４５２−１４６２．ｅｎｔｉｒｅ  ｄｏｃｕｍｅｎｔ
（非特許文献３）  ＬＡＴＯＵＲ  ｅｔ  ａｌ．‘Ｓｕｃｃｅｓｓｆｕｌ  ｕｓｅ  ｏｆ  ｅｃｕｌｉｚｕｍａｂ  ｉｎ  ａ  ｐａｔｉｅｎｔ  ｗｉｔｈ  ｐｏｓｔ−ｔｒａｎｓｐｌａｎｔ  ｔｈｒｏｍｂｏｔｉｃ  ｍｉｃｒｏａｎｇｉｏｐａｔｈｙ，’  Ｂｒ  Ｊ  Ｈａｅｍａｔｏｌ．０７  Ｊａｎｕａｒｙ  ２０１３（０７．０１．２０１３），Ｖｏｌ．１６１，Ｐｇｓ．２７９−２９８．ｅｎｔｉｒｅ  ｄｏｃｕｍｅｎｔ
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
患者の骨折部分を固定するための熱可塑性ギプスであって、
前記患者の前記骨折部分の少なくとも一部をカバーするように構成された構造体を含み、
前記構造体は、熱によって前記骨折部分の前記少なくとも一部に合うように変形する熱可塑性樹脂を含み、複数の菱形状の通気孔を有するメッシュ状体として形成され、
前記熱可塑性ギプスは、前記構造体を支持するための構造支持部をさらに含み、
前記構造支持部は、前記構造体が前記熱によって柔軟になるとき、前記構造体の変形の制限を規定することを特徴とする熱可塑性ギプス。
【請求項２】
前記構造支持部は、コア材料および／または外側カバーを含み、
前記コア材料は、細いヤーンの複数のストランドを編むことによって形成され、
前記コア材料には、ポリカプロラクトンが取り付けられ、
前記構造体は、前記コア材料の外側を囲み、
前記外側カバーは、前記構造体の外側を囲む請求項１に記載の熱可塑性ギプス。
【請求項３】
前記外側カバーは、金型内に前記構造体を配置し、液体状態にあるゴムを注入することによるインサート射出によって形成される請求項２に記載の熱可塑性ギプス。
【請求項４】
前記外側カバーは、バインダーと、ゴム溶液との混合溶液を含む貯蔵タンクに前記構造体を浸漬し、引き上げることによる浸漬によって形成される請求項２に記載の熱可塑性ギプス。
【請求項５】
前記外側カバーは、前記構造体の外側部にゴム材料で形成されたシートを設置し、その後、前記構造体に前記ゴム材料で形成された前記シートを溶着するために熱を使用することによるシート融合によって形成される請求項２記載の熱可塑性ギプス。
【請求項６】
前記構造体は、高さが幅よりも大きい横断面を有するように形成され、十分な剛性が外力または衝撃に対して達成される請求項１ないし５のいずれかに記載の熱可塑性ギプス。
【請求項７】
前記構造体は、前記構造体が互いに交差する部分を有し、
当該部分の厚さは、比較的薄くなるように形成されている請求項１ないし６のいずれかに記載の熱可塑性ギプス。
【請求項８】
前記構造体は、内側に凹没した溝を有し、
前記溝は、前記構造体が互いに交差する部分に形成される請求項１ないし７のいずれかに記載の熱可塑性ギプス。
【請求項９】
前記構造体は、ポリカプロラクトン複合体を含む請求項１ないし８のいずれかに記載の熱可塑性ギプス。
【請求項１０】
繊維強化ガラス繊維またはポリエチレンテレフタレート繊維は、前記カプロラクトン複合体に加えられる請求項９記載の熱可塑性ギプス。
【請求項１１】
ポリエチレンまたはポリウレタンは、前記ポリカプロラクトン複合体に加えられる請求項９または１０に記載の熱可塑性ギプス。
【請求項１２】
タルクで形成された核形成剤は、前記ポリカプロラクトン複合体に加えられる請求項９ないし１１のいずれかに記載の熱可塑性ギプス。
【請求項１３】
前記熱可塑性ギプスは、前記骨折部分の前記少なくとも一部に合わせるために、前記菱形の長い対角線が短くなり、短い対角線が長くなる形状に容易に変形し、
前記熱可塑性ギプスは、前記構造支持部によって前記菱形を形成するサイド部のそれぞれの長手方向の伸びが制限されている請求項１ないし１２のいずれかに記載の熱可塑性ギプス。
【請求項１４】
前記外側カバーは、緩衝材として作用する請求項２ないし１３のいずれかに記載の熱可塑性ギプス。
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
関心被験者の心臓の少なくとも一部の複数の医用画像を解析することによって、心筋灌流病変の特性評価をする方法であって、前記複数の医用画像は、医用イメージングモダリティによって連続的に取得され、当該方法は、
前記複数の医用画像における前記関心被験者の前記心臓の選択された部分の輪郭を描写し、選択された前記部分を複数のセグメントにセグメント化するステップと、
前記複数の医用画像から、選択された心筋像位置の強度をサンプリングし、前記心筋像位置の対応するサンプリングされた強度に、前記複数の医用画像の各医用画像の取得の順序を表す指標を割当て、選択された前記心筋像位置のそれぞれに対し、強度曲線を得るステップと、
得られた前記強度曲線に基づいて、複数の心筋セグメントのうちの少なくとも心筋セグメントのサブセットのうちで、時空間的灌流不均一性又は灌流脱位相を示す指数を計算するステップであって、前記心筋セグメントのサブセットが複数の心筋セグメントを含むステップと、
を含む、方法。
【請求項２】
前記複数のセグメントの各セグメントにおける心筋血流の定量化を行うステップを更に含む、請求項１に記載の方法。
【請求項３】
前記複数の医用画像は、前記関心被験者に造影剤を投与した後に、前記医用イメージングモダリティによって取得される、請求項１又は２に記載の方法。
【請求項４】
前記心臓の選択された前記部分における基準場所を特定するステップを更に含み、前記指数を計算する前記ステップにおいて、前記強度曲線は、特定された前記基準場所によって決定される基準時間を参照して評価される、請求項１乃至３の何れか一項に記載の方法。
【請求項５】
選択された前記心筋像位置のそれぞれについて、前記心筋像位置のそれぞれのサンプリングされた強度の特徴の発生まで、特定された前記基準場所によって決定される基準時間に対する個々の期間を自動的に決定するステップを更に含み、
前記個々の期間は、前記指数を計算する前記ステップにおいて使用される、請求項４に記載の方法。
【請求項６】
前記指数を計算する前記ステップは、特定された前記基準場所における前記特徴の発生の時間に対する個々の前記心筋像位置のそれぞれにおける特徴の発生までの時間の変動を示す統計的尺度の計算を含む、請求項４又は５に記載の方法。
【請求項７】
前記関心被験者の前記心臓の少なくとも一部の前記複数の医用画像を取得することは、前記関心被験者の前記心臓の周期動作と少なくとも部分的に同期される、請求項１乃至６の何れか一項に記載の方法。
【請求項８】
前記心筋像位置の強度をサンプリングする前記ステップにおいて、前記心筋像位置は、心筋と平行な方向及び前記心筋を横断する方向において選択される、請求項１乃至７の何れか一項に記載の方法。
【請求項９】
灌流図を生成し、前記灌流図をユーザに表示するステップを更に含む、請求項１乃至８の何れか一項に記載の方法。
【請求項１０】
少なくとも１つの特徴位置及び／又は少なくとも１つの特徴時点を示す少なくとも１つのマーカーを前記灌流図内に組み込むステップを更に含む、請求項９に記載の方法。
【請求項１１】
複数のコンピュータリンクを組み込むステップを更に含み、前記複数のコンピュータリンクの各コンピュータリンクは、前記灌流図内のある場所に割当てられ、前記複数のコンピュータリンクの各コンピュータリンクは、前記複数の医用画像の１つの医用画像を表すデータセットにリンク付けされる、請求項９又は１０に記載の方法。
【請求項１２】
関心被験者の心臓の少なくとも一部の複数の医用画像を解析することによって、心筋灌流病変の特性評価をするシステムであって、前記複数の医用画像は、医用イメージングモダリティによって連続的に取得され、当該システムは、
前記複数の医用画像における前記関心被験者の前記心臓の選択された部分の輪郭を描写し、選択された前記部分を複数のセグメントにセグメント化する描写ユニットと、
前記複数の医用画像から、心筋像位置の強度をサンプリングし、前記心筋像位置の対応するサンプリングされた強度に、前記複数の医用画像の各医用画像の取得の順序を表す指標を割当て、複数の心筋セグメントのうちの少なくとも心筋セグメントのサブセットのうちで、時空間的灌流不均一性又は灌流脱位相を示す指数を計算する強度サンプリング及び解析ユニットと、
を含む、システム。
【請求項１３】
請求項１２に記載のシステムを含む、医用イメージングモダリティ。
【請求項１４】
磁気共鳴イメージング装置としてデザインされる、請求項１３に記載の医用イメージングモダリティ。
【請求項１５】
請求項１乃至１１の何れか一項に記載の心筋灌流病変の特性評価をする方法を実行するためのソフトウェアモジュールであって、行われるべき前記方法のステップは、前記ソフトウェアモジュールのプログラムコードに変換され、前記プログラムコードは、前記医用イメージングモダリティの制御ユニットのメモリユニットに実装可能であり、前記医用イメージングモダリティの前記制御ユニットのプロセッサユニットによって実行可能である、ソフトウェアモジュール。
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
胎児拍動を特定するための超音波診断イメージングシステムであって、
アレイトランスデューサを含む超音波プローブと、
表示のために、前記プローブからのエコーデータを処理するように構成される画像プロセッサと、
前記画像プロセッサに結合され、胎児の心臓を含む超音波画像を表示するように構成される画像ディスプレイと、
前記超音波画像において関心領域を特定するユーザ制御部に応答するグラフィックス生成器と、
前記関心領域に関連する複数の空間的に異なるM-モードラインの生成を開始するように構成される前記ユーザ制御部と
を有するシステムにおいて、
前記イメージングシステムは、(1) 前記空間的に異なるM-モードラインに対応するエコーデータを収集し、(2) 前記空間的に異なるM-モードラインの少なくとも一つに関連する前記胎児拍動を特定するために前記エコーデータを分析するように構成される、システムにおいて、
前記システムは、前記対応するM-モードラインの各々に対して測定される胎児心拍数に基づいて前記収集エコーデータをランク付けするように構成される、システム。
【請求項２】
前記システムは、前記M-モードラインに対応する前記エコーデータから胎児心拍数を測定するように更に構成される、請求項１に記載のシステム。
【請求項３】
前記空間的に異なるM-モードラインの少なくともいくつかは前記システムによって自動的に生成される、請求項１に記載のシステム。
【請求項４】
前記空間的に異なるM-モードラインの少なくともいくつかは、ユーザによって指示されるように、前記システムによって生成される、請求項１に記載のシステム。
【請求項５】
前記システムは、M-モード又はB-モード画像収集を使って前記空間的に異なるM-モードラインの少なくともいくつかに対応する前記エコーデータを収集するように構成される、請求項１に記載のシステム。
【請求項６】
前記システムは、所与のM-モードラインを横切る前記アレイトランスデューサによって生成される複数のB-モード画像ラインからのエコー信号を結合することによって、前記空間的に異なるM-モードラインの少なくともいくつかに対応するエコーデータを合成するように構成される、請求項１に記載のシステム。
【請求項７】
胎児拍動を特定するために超音波イメージングを使用する方法であって、
胎児の心臓を含む超音波画像を受信するステップと、
前記超音波画像において関心領域を特定するステップと、
前記関心領域に関連する、複数の空間的に異なるM-モードラインを生成するステップと、
前記空間的に異なるM-モードラインに対応するエコーデータを収集するステップと、
前記空間的に異なるM-モードラインの少なくとも一つに関連する胎児拍動を特定するために前記エコーデータを分析するステップと、
前記対応する空間的に異なるM-モードラインの各々に対して測定される胎児心拍数に基づいて前記収集エコーデータをランク付けするステップと
を有する、方法。
【請求項８】
前記空間的に異なるM-モードラインの少なくとも一つに対応する前記エコーデータに基づいて胎児心拍数を決定するステップを有する、請求項７に記載の方法。
【請求項９】
前記空間的に異なるM-モードラインは、コンピュータシステムによって自動的に生成されるか、ユーザによって指示されるように前記コンピュータシステムによって生成されるか、又はそれらの組合せになる、請求項７に記載の方法。
【請求項１０】
前記エコーデータを収集するステップはM-モード又はB-モード画像収集を使うステップを有する、請求項７に記載の方法。
【請求項１１】
前記受信するステップはシネループに保存される複数のB-モード超音波画像を受信するステップを有し、前記収集するステップは前記B-モード画像からのエコーデータを合成するステップを有する、請求項７に記載の方法。
【請求項１２】
胎児拍動を特定するためのコンピュータシステムであって、前記コンピュータシステムは、
実行されるとき、前記システムに、
胎児の心臓を含む超音波画像を受信させて、
前記超音波画像において関心領域を特定させて、
前記関心領域に関連する、複数の空間的に異なるM-モードラインを生成させて、
前記空間的に異なるM-モードラインに対応するエコーデータを収集させて、
前記空間的に異なるM-モードラインの少なくとも一つに関連する胎児拍動を特定するために前記エコーデータを分析させて、
前記対応する空間的に異なるM-モードラインの各々に対して測定される胎児心拍数に基づいて前記収集エコーデータをランク付けさせる
命令を有する、コンピュータシステム。
【請求項１３】
実行されるとき、前記システムに、前記空間的に異なるM-モードラインの少なくとも一つに対応する前記エコーデータに基づいて胎児心拍数を決定させる命令を更に有する、請求項１２に記載のコンピュータシステム。
【請求項１４】
前記受信するステップはシネループに保存される複数のB-モード超音波画像を受信するステップを有し、前記収集するステップは前記B-モード画像からのエコーデータを合成するステップを有する、請求項１２に記載のコンピュータシステム。
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
複数のモータ及び複数のセンサを収容する１つ又はそれよりも多くの遠位ハウジングと、
位置コントローラを収容する近位ハウジングと、
遠隔電流コントローラを収容する中間ハウジングとを含み、
前記複数のセンサは、前記複数のモータの状態を感知するために前記複数のモータに連結され、
前記位置コントローラは、前記複数のモータの命令される位置を示す電流命令を生成し、
前記中間ハウジングは、前記近位ハウジングと前記１つ又はそれよりも多くの遠位ハウジングとの間に配置され、前記遠隔電流コントローラは、前記電流命令を受信し、前記複数のモータの前記感知される状態の情報を受信し、前記受信される電流命令及び前記複数のモータの前記感知される状態の前記受信される情報を用いて前記複数のモータのために個々のモータ駆動信号を生成し、個々の信号線を通じて前記個々のモータ駆動信号を前記複数のモータにそれぞれ提供するように構成される、
ロボットシステム。
【請求項２】
前記複数のモータの前記感知される状態の前記情報は、前記複数のモータのロータ角度の情報を含む、請求項１に記載のロボットシステム。
【請求項３】
器具を更に含み、前記複数のモータは、対応する自由度において前記器具を動かす、請求項１に記載のロボットシステム。
【請求項４】
前記器具は、シャフトと、遠位先端と、該遠位先端を前記シャフトに連結する手首機構とを有し、前記複数のモータは、前記手首機構の対応する自由度を作動させる１つ又はそれよりも多くのモータを含む、請求項３に記載のロボットシステム。
【請求項５】
前記器具は、エンドエフェクタを有し、前記複数のモータは、前記エンドエフェクタの対応する自由度を作動させる１つ又はそれよりも多くのモータを含む、請求項３に記載のロボットシステム。
【請求項６】
前記器具は、ロボットアームによって操作され、該ロボットアームは、複数のリンクと、複数の関節とを含み、前記複数のリンクの各々は、ハウジングによって取り囲まれ、前記中間ハウジング及び前記１つ又はそれよりも多くの遠位ハウジングは、前記複数のリンクのうちの対応するリンクを取り囲む、請求項３に記載のロボットシステム。
【請求項７】
前記ロボットアームは、基本構造に取り付けられ、該基本構造は、前記近位ハウジングを含む、請求項６に記載のロボットシステム。
【請求項８】
前記遠隔電流コントローラは、デイジーチェーンネットワーク内に含められる複数の通信リンクを通じて前記複数のセンサと通信し、前記位置コントローラは、前記デイジーチェーンネットワーク内の近位通信リンクを通じて前記遠隔電流コントローラと通信する、請求項１に記載のロボットシステム。
【請求項９】
前記デイジーチェーンネットワークは、パケットベースのネットワークを含む、請求項８に記載のロボットシステム。
【請求項１０】
前記複数のモータは、１つ又はそれよりも多くのブラシレスＤＣモータを含み、前記モータ駆動信号は、パルス幅変調された電気信号である、請求項１に記載のロボットシステム。
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
プロセッサにより、ユーザ入力を受信するステップであって、前記ユーザ入力が少なくとも１つの可変値を含む医療画像データであり、前記可変値が前記医療画像データの可変パラメータを示す前記医療画像データの特徴の測定値であり、前記可変パラメータは計算された出力値を決定するために必要とされるパラメータである、当該受信するステップと、
前記プロセッサにより、少なくとも１つの可変値対を生成するように前記少なくとも１つの可変値の各々を対応する可変パラメータと関連付けるステップと、
前記プロセッサにより、少なくとも１つの他の可変値対が前記計算された出力値を決定するのに要求されるかどうかを決定するステップと、
前記プロセッサにより、前記少なくとも１つの他の可変値対の選択されたものを決定するステップと、
ユーザインタフェースにより、前記少なくとも１つの他の可変値対の選択されたものを要求するステップと、
前記ユーザインタフェースにより、前記少なくとも１つの他の必要とされる可変値対の選択されたものを受信するステップと、
前記プロセッサにより、前記少なくとも１つの可変値対の選択されたもの及び前記少なくとも１つの他の必要とされる可変値対の選択されたものの関数として計算された出力値を決定するステップと、
を有する方法。
【請求項２】
前記プロセッサにより、前記ユーザ入力のコンテキストを決定するステップと、
前記プロセッサにより、前記コンテキストの関数として前記ユーザ入力から前記少なくとも１つの可変値の選択されたものを抽出するステップと、
を有する、請求項１に記載の方法。
【請求項３】
前記少なくとも１つの他の可変値対に対する決定が、所定の設定及び所定の規則の少なくとも一方の関数である、請求項１に記載の方法。
【請求項４】
前記プロセッサにより、前記ユーザ入力に対する報告に前記計算された出力値を統合するステップ、
を有する、請求項１に記載の方法。
【請求項５】
前記少なくとも１つの可変値が、注釈、フリーテキスト、及び構造化されたコンテンツの少なくとも１つとして前記ユーザ入力に含められる、請求項１に記載の方法。
【請求項６】
前記プロセッサにより、前記計算された出力値の関数として少なくとも１つの他の計算された出力値を決定するステップ、
を有する、請求項１に記載の方法。
【請求項７】
前記医療画像データが、磁気共鳴イメージングであり、前記少なくとも１つの可変値が、病変の幅及び長さであり、前記可変パラメータが、前記病変の寸法であり、前記計算された出力値が、胸部撮像報告及びデータシステムスコアである、請求項１に記載の方法。
【請求項８】
ユーザ入力を受信するプロセッサであって、前記ユーザ入力が、少なくとも１つの可変値を含む医療画像データであり、前記可変値が、前記医療画像データの可変パラメータを示し、前記可変パラメータは、計算された出力値を決定するために必要とされるパラメータである、当該プロセッサと、
前記ユーザ入力、前記少なくとも１つの可変値、及び前記可変パラメータを記憶するメモリ構成と、
を有する報告ツールにおいて、
前記プロセッサが、少なくとも１つの可変値対を生成するように前記少なくとも１つの可変値の各々を対応する可変パラメータと関連付けるよう構成され、
前記プロセッサが、少なくとも１つの他の可変値対が前記計算された出力値を決定するのに要求されるかどうかを決定し、前記少なくとも１つの他の可変値対の選択されたものを決定し、前記少なくとも１つの他の可変値対の選択されたものを要求し、前記少なくとも１つの他の必要とされる可変値対の選択されたものを受信するよう構成され、
前記プロセッサが、前記少なくとも１つの可変値対の選択されたもの及び前記少なくとも１つの他の必要とされる可変値対の選択されたものの関数として計算された出力値を決定する、
報告ツール。
【請求項９】
前記プロセッサが、前記ユーザ入力のコンテキストを決定し、前記コンテキストの関数として前記ユーザ入力から前記少なくとも１つの可変値の選択されたものを抽出する、請求項８に記載の報告ツール。
【請求項１０】
前記少なくとも１つの他の可変値対に対する決定が、所定の設定及び所定の規則の少なくとも１つの関数である、請求項８に記載の報告ツール。
【請求項１１】
前記プロセッサが、前記ユーザ入力に対する報告に前記計算された出力値を統合する、請求項８に記載の報告ツール。
【請求項１２】
前記少なくとも１つの可変値が、注釈、フリーテキスト、及び構造化されたコンテンツの少なくとも１つとして前記ユーザ入力に含められる、請求項８に記載の報告ツール。
【請求項１３】
前記プロセッサが、前記計算された出力値の関数として少なくとも１つの他の計算された出力値を決定する、請求項８に記載の報告ツール。
【請求項１４】
プロセッサにより実行可能である命令のセットを記憶する非一時的コンピュータ可読記憶媒体において、前記命令が、前記プロセッサに、
ユーザ入力を受信させ、前記ユーザ入力が少なくとも１つの可変値を含む医療画像データであり、前記可変値が前記画像データの可変パラメータを示す前記医療画像データの特徴の測定値であり、
少なくとも１つの可変値対を生成するように前記少なくとも１つの可変値の各々を対応する可変パラメータと関連付け、
少なくとも１つの他の可変値対が前記計算された出力値を決定するのに要求されるかどうかを決定し、
前記少なくとも１つの他の可変値対の選択されたものを決定し、
前記少なくとも１つの他の可変値対の選択されたものを要求し、
前記少なくとも１つの他の必要とされる可変値対の選択されたものを受信し、
前記少なくとも１つの可変値対の選択されたもの及び前記少なくとも１つの他の必要とされる可変値対の選択されたものの関数として計算された出力値を決定させる、
非一時的コンピュータ可読記憶媒体。
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
陽圧呼吸療法を提供するために使用されるインタフェースであって、
マスクシールおよびマスクシェルを備えるマスクアセンブリであって、使用者の顔面に前記使用者の鼻および口を覆って配置されるように構成され、前記マスクシェルが、中心部分と前記中心部分の後方に弧を描いて延びる一対のウイングとを備え、前記中心部分において前記マスクシェルにコネクタ用の開口部が形成され、前記マスクシールが前記マスクシェルに接続され、前記マスクシールが下方部分および上方部分を備え、少なくとも１つの鼻開口部が前記上方部分に配置され、少なくとも１つの口開口部が、前記下方部分の、前記コネクタ用の前記開口部の反対側に配置され、前記マスクアセンブリが、前記上方部分および前記下方部分の移動を分離する１つまたは複数の機構を備え、それらの間の、前記マスクシールの前後方向に延在している長手方向軸に実質的に垂直に延在する横方向軸を少なくとも中心とする相対移動を可能にし、前記マスクシールの前記上方部分が、第１パドル、第２パドル、および前記第１パドルと前記第２パドルとの間に配置されている上方支持面を有する鼻領域を備え、それにより、前記第１パドル、前記上方支持面および前記第２パドルによって上方に開放した谷部が画定され、前記少なくとも１つの鼻開口部の少なくとも一部が、前記谷部内の前記上方支持面の上に配置され、前記谷部は前記使用者の露出した鼻尖を提供するように構成されている、マスクアセンブリと、
前記マスクアセンブリに結合されたフレームアセンブリであって、ヘッドギアと接続されるように構成されたフレームアセンブリと、
前記マスクシールの前記上方部分の前記マスクシールの前記下方部分に対する前記移動を制限する移動制限装置と、
を具備するインタフェース。
【請求項２】
前記移動制限装置が、ラチェットアセンブリ、カウルおよびテザーのうちの１つを含む、請求項１に記載のインタフェース。
【請求項３】
前記移動制限装置が、前記マスクアセンブリの一方または両方の横方向側部に位置する部分を備える、請求項１又は２に記載のインタフェース。
【請求項４】
前記移動制限装置が、前記フレームアセンブリの一方または両方の横方向側部に位置する部分を備える、請求項１又は２に記載のインタフェース。
【請求項５】
前記少なくとも１つの鼻開口部が、前記使用者の鼻孔と係合するように構成された少なくとも１つの鼻要素を備える、請求項１〜４のいずれか一項に記載のインタフェース。
【請求項６】
前記少なくとも１つの鼻要素が、前記使用者の前記鼻孔のそれぞれ１つと封止係合する一対の鼻ピローを備える、請求項５に記載のインタフェース。
【請求項７】
前記分離機構が、互いに向かって及び互いから離れるように移動可能な、下壁部分の真上に配置された上壁部分を備える、請求項１〜６のいずれか一項に記載のインタフェース。
【請求項８】
前記上壁部分および前記下壁部分が、Ｖ字型断面を画定するように概して直線状である、請求項７に記載のインタフェース。
【請求項９】
前記上壁部分および前記下壁部分のうちの少なくとも一方が湾曲形状の断面を有する、請求項７に記載のインタフェース。
【請求項１０】
前記分離機構が、互いに対して角度をなして配置される第１壁部分および第２壁部分を備える、請求項１〜６のいずれか一項に記載のインタフェース。
【請求項１１】
前記第１壁部分および前記第２壁部分が、協働してＬ字型断面を画定している、請求項１０に記載のインタフェース。
【請求項１２】
前記第２壁部分と前記分離機構に隣接する前記マスクシールの壁の一部との間に湾曲壁部分をさらに具備する、請求項１１に記載のインタフェース。
【請求項１３】
前記分離機構が、少なくとも、前記マスクアセンブリの側面と使用者に面する面との間の遷移部まで延在している、請求項１〜１２のいずれか一項に記載のインタフェース。
【請求項１４】
前記分離機構が、前記遷移部にまたはその近くに反転点を画定している、請求項１３に記載のインタフェース。
【請求項１５】
前記分離機構が波形構成を含む、請求項１〜１４のいずれか一項に記載のインタフェース。
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
生物学的心臓弁置換物であって、近位端（Ｅｐ）、遠位端（Ｅｄ）、および前記近位端と前記遠位端との間に設けられるとともに前記弁の長手方向を規定する中央部（Ｐｃ）を含む管状セグメント（Ａ）を備え、前記弁は、前記中央部の内側壁部（Ｗ）領域において接続領域（Ｆ）にヒンジ状に取り付けられる少なくとも１つの内側弁尖（Ｃ）を更に含み、前記内側弁尖の各々は前記弁の閉鎖位置と開放位置との間を移動可能であり、
前記管状セグメントが、成長適応性を備える生体適合材料から形成される長手方向のストリップとして構成される少なくとも１つの管状成長領域（Ｂ；Ｂ１、Ｂ２）を含み、前記管状セグメントの残部が非成長適応性を備える生体適合材料から形成されることを特徴とする生物学的心臓弁置換物。
【請求項２】
前記内側弁尖（Ｃ）の各々につき１つの管状成長領域（Ｂ）を有し、同管状成長領域の各々は対応する前記内側弁尖の前記接続領域（Ｆ）を横断することを特徴とする請求項１に記載の生物学的心臓弁置換物。
【請求項３】
前記内側弁尖（Ｃ）の各々につき２つの管状成長領域（Ｂ１、Ｂ２）を有し、同２つの管状成長領域は、互いに周方向に間隔をおいて設けられ、両成長領域が対応する前記内側弁尖の前記接続領域（Ｆ）を横断することを特徴とする請求項１に記載の生物学的心臓弁置換物。
【請求項４】
前記管状成長領域（Ｂ）の全体によって形成される領域は、前記管状セグメントの５乃至５０面積％に相当することを特徴とする請求項１乃至３のうちのいずれか一項に記載の生物学的心臓弁置換物。
【請求項５】
前記管状成長領域（Ｂ）の全体によって形成される領域は、前記管状セグメントの１０乃至３０面積％に相当することを特徴とする請求項４に記載の生物学的心臓弁置換物。
【請求項６】
前記内側弁尖（Ｃ）は各々成長適応性を備える生体適合材料から形成されるとともに前記接続領域（Ｆ）に隣接する弁尖領域に設けられるパッチとして構成される弁尖成長領域（Ｄ）を更に含むことを特徴とする請求項１乃至５のうちのいずれか一項に記載の生物学的心臓弁置換物。
【請求項７】
前記弁尖成長領域（Ｄ）は略三角形であり、前記内側壁部領域（Ｗ）に隣接する三角形ベースを備えることを特徴とする請求項６に記載の生物学的心臓弁置換物。
【請求項８】
前記弁尖成長領域（Ｄ）は対応する前記内側弁尖（Ｃ）の５乃至５０面積％に相当することを特徴とする請求項６または７に記載の生物学的心臓弁置換物。
【請求項９】
前記弁尖成長領域（Ｄ）は対応する前記内側弁尖（Ｃ）の１０乃至３０面積％に相当することを特徴とする請求項８に記載の生物学的心臓弁置換物。
【請求項１０】
前記非成長適応性を備える生体適合材料は固定の異種の個体の組織あるいは同型遺伝子性の生来の組織であることを特徴とする請求項１乃至９のうちのいずれか一項に記載の生物学的心臓弁置換物。
【請求項１１】
前記成長適応性を備える生体適合材料は生体分解性高分子であることを特徴とする請求項１乃至１０のうちのいずれか一項に記載の生物学的心臓弁置換物。
【請求項１２】
前記生体分解性高分子は、ポリ−４−ハイドロキシブチレートで浸漬コーティングされたポリグリコール酸マトリックスから形成されることを特徴とする請求項１１に記載の生物学的心臓弁置換物。
【請求項１３】
前記成長適応性を備える生体適合材料は組織を処理した材料であることを特徴とする請求項１乃至１０のうちのいずれか一項に記載の生物学的心臓弁置換物。
【請求項１４】
前記管状セグメントの径は５乃至２０ｍｍであることを特徴とする請求項１乃至１３のうちのいずれか一項に記載の生物学的心臓弁置換物。
【請求項１５】
前記管状セグメントの長さは１０乃至２０ｍｍであることを特徴とする請求項１乃至１４のうちのいずれか一項に記載の生物学的心臓弁置換物。
【請求項１６】
請求項１乃至１５のうちのいずれか一項に記載の生物学的心臓弁置換物を製造する方法であって、
ａ）非成長適応性を備える生体適合材料から形成される管状セグメントを備える生物学的心臓弁置換物を準備する工程であって、前記管状セグメントは、セグメント長さを有し、近位端、遠位端、および前記近位端と前記遠位端との間に設けられるとともに前記弁の長手方向を規定する中央部を含み、前記弁は、前記中央部の内側壁部領域に取り付けられる少なくとも１つの内側弁尖を更に含み、前記内側弁尖の各々は、前記弁の閉鎖位置と開放位置との間を移動可能に構成される、生物学的心臓弁置換物を準備する工程と、
ｂ）前記管状セグメントに沿って少なくとも１つの長手方向の切断部を形成し、これにより一対の長手方向に並べられる管壁縁を形成する工程と、
ｃ）前記セグメント長さに相当する長さを有するとともに前記対の管壁縁間に配置されるように長手方向のストリップの両縁を有する成長適応性を備える生体適合材料のストリップの形状に形成される片を設ける工程と、
ｄ）隣接する管壁縁に各長手方向のストリップ縁を固定する工程とを含むことを特徴とする生物学的心臓弁置換物の製造方法。
【請求項１７】
前記固定する工程ｄ）は、縫合により、あるいは接着により行われることを特徴とする請求項１６に記載の方法。